(57)【特許請求の範囲】
【請求項１】
少なくとも片面に害虫を捕獲する粘着層を有する捕虫シートと、
この捕虫シートを略Ｖ字状となるように屈曲させ、粘着層が略上面を向き、かつこの略Ｖ字状の溝方向に直交する端面での両縁部が略Ｖ字状の溝の最下端部よりも上方に位置するように保持する枠体と、
を備え、
前記捕虫シートには、該シートの取外しと折りたたみを行うための摘みが設けられており、
前記摘みは、略Ｖ字状の溝方向両側端に粘着層の屈曲方向とは逆方向に略Ｖ字状に屈曲されたものであることを特徴とする粘着捕虫器。
【請求項２】
少なくとも片面に害虫を捕獲する粘着層を有する捕虫シートと、
この捕虫シートを略Ｖ字状となるように屈曲させ、粘着層が略上面を向き、かつこの略Ｖ字状の溝方向に直交する端面での両縁部が略Ｖ字状の溝の最下端部よりも上方に位置するように保持する枠体と、
を備え、
前記枠体には、前記捕虫シートの取外し作業時に略Ｖ字断面の外面を摘んで下方に引き下ろすことにより、捕虫シートの取外しと折りたたみを可能とする開口を設けたことを特徴とする粘着捕虫器。
【発明の詳細な説明】
【０００１】
【発明の属する技術分野】
本発明は、粘着材を用いて害虫を捕獲する粘着捕虫器、及び当該粘着捕虫器に使用される捕虫器用粘着シートに関する。
【０００２】
【従来の技術】
従来から、粘着シートを用いて害虫を捕獲する捕虫器がある。その一般的構成としては、図１２（ａ）（ｂ）に示すように、捕虫器４０の枠体４１に設けられた開口部４２内に誘虫ランプ４３を取付けると共に、開口部４２内の空中に、粘着層を有する細長いテープ状の捕虫シート４４をその両端を保持して取付けるものが知られている。また、図１３（ａ）（ｂ）に示すように、捕虫器４０の枠体４１に設けられた開口部４２内に誘虫ランプ４３を取付けると共に、開口部４２内の底面に、粘着層を有する平板状の捕虫シート４４を置くものが知られている。
【０００３】
これらの捕虫器４０は、蚊や蝿等の害虫を誘虫ランプ４３により枠体４１の開口部４２内に誘い、捕虫シート４４に粘着して捕獲するというものであり、不図示の取付具により、天井や壁面上部に設置されて使用される。また、捕虫シート４０は、使い捨てであり、適時、新しい捕虫シート４４と交換して使用される。捕虫シート４４の交換は、枠体４１の不図示の開閉部を開閉して行われる。
【０００４】
【発明が解決しようとする課題】
ところが、上述した従来の捕虫器４０では、前者の構成においては、捕虫シート４４が細長いテープ状であるため屈曲し易く、捕虫シート４４の交換作業時に、捕虫シート４４が作業者の意図と無関係に屈曲してしまい、作業者が捕虫シート４４の粘着層に触れてしまう恐れがあった。また、捕虫シート４４の粘着層同士が触れてしまって粘着してしまい、捕虫シート４４が使い物にならなくなる恐れがあった。
【０００５】
また、両者の構成とも、捕虫シート４４の交換作業時に、害虫の付着した粘着層を露出したまま作業をすることになり、付着した害虫の死骸の剥離、落下等の可能性が高いうえ、作業者が不潔な面を見ながら作業することになり不快感が高いものであった。さらに、捕虫シート４４の交換のための枠体４１の開閉作業や捕虫シート４４の脱着作業は、捕虫器４０の設置箇所において行われるため、脚立や踏み台等の不安定な足場上での作業となり、危険が伴っていた。
【０００６】
本発明は、上記課題を解決するためになされたものであり、捕虫器の使用中及び捕虫シートの交換作業時における害虫の死骸や埃等の脱落防止性の向上を図ると共に、捕虫シートの交換作業の容易性、清潔性、及び安全性の向上を図る捕虫器及び捕虫器用粘着シートを提供することを目的とする。
【０００７】
【課題を解決するための手段】
上記目的を達成するために請求項１の発明は、少なくとも片面に害虫を捕獲する粘着層を有する捕虫シートと、この捕虫シートを略Ｖ字状となるように屈曲させ、粘着層が略上面を向き、かつこの略Ｖ字状の溝方向に直交する端面での両縁部が略Ｖ字状の溝の最下端部よりも上方に位置するように保持する枠体と、を備え、捕虫シートには、該シートの取外しと折りたたみを行うための摘みが設けられており、摘みは、略Ｖ字状の溝方向両側端に粘着層の屈曲方向とは逆方向に略Ｖ字状に屈曲されたものである粘着捕虫器である。
【０００８】
この構成においては、空中を飛翔する虫は、略Ｖ字状の捕虫シートの粘着層に粘着されて捕獲される。このとき、粘着層への付着が不十分であったり、体の一部分のみが付着していた虫の死骸が、風や重力等により粘着層から離れ落ちたとしても、捕虫シートは略Ｖ字状に形成されているため、離れ落ちた虫の死骸は、粘着層のより低位置の箇所で再び粘着されて捕獲される。また、使用済みの捕虫シートは、捕虫シートが略Ｖ字状に形成されているため、そのまま粘着層を内側にして折り畳むことで、粘着層同士が粘着して、粘着層に付着した虫の死骸が隠蔽された状態となる。しかも、摘みを摘んで捕虫シートを折り畳むとき、摘みは、折り畳んだ捕虫シートの外部に出る。このため、虫の死骸の付着した粘着面に手や衣服が触れることなく、虫の死骸を隠蔽した状態とすることができる。
【０００９】
また、請求項２の発明は、少なくとも片面に害虫を捕獲する粘着層を有する捕虫シートと、この捕虫シートを略Ｖ字状となるように屈曲させ、粘着層が略上面を向き、かつこの略Ｖ字状の溝方向に直交する端面での両縁部が略Ｖ字状の溝の最下端部よりも上方に位置するように保持する枠体と、を備え、枠体には、捕虫シートの取外し作業時に略Ｖ字断面の外面を摘んで下方に引き下ろすことにより、捕虫シートの取外しと折りたたみを可能とする開口を設けた粘着捕虫器である。
【００１０】
この構成においては、請求項１の構成と同様に、粘着層から離れ落ちた虫の死骸は、粘着層のより低位置の箇所で再び粘着されて捕獲され、また、使用済みの捕虫シートは、そのまま粘着層を内側にして折り畳むことで、粘着層に付着した虫の死骸が隠蔽された状態となる。しかも、枠体の開口から捕虫シートの外面を摘んで下方に引き下ろすことにより、捕虫シートが取外され、同時に、粘着層が内側となるように折り畳まれる。このため、虫の死骸の付着した不潔な粘着面が見えたり、虫の死骸の付着した粘着面に手や衣服が触れることなく、使用済みの捕虫シートを折り畳んで虫の死骸を隠蔽した状態とすることができる。
【００１５】
【発明の実施の形態】
以下、本発明を具体化した実施形態について図面を参照して説明する。まず、第１の実施形態による粘着捕虫器の概略構成を図１及び図２に示す。粘着捕虫器１は、枠体１０と使い捨ての捕虫シート（捕虫器用粘着シート）２０から構成されている。枠体１０には、その前面上部に開口部１１が設けられている。この開口部１１は、捕虫シート２０を枠体１０内部に取付ける際の捕虫シート２０の挿入口としての役割と、飛翔する虫が捕虫シート２０へ到達するための通過口としての役割を担っている。
【００１６】
捕虫シート２０は、図３に示すように、シート２１に粘着層２２が形成されており、粘着層２２を内側にしてＶ字状に折り曲げることが容易なように折り目２３が設けられている。捕虫シート２０は、折り目２３に沿って粘着層２２を内側にしてＶ字状に折り曲げた状態で、粘着層２２が略上面を向き、かつ両縁部２４がＶ字状の溝の最下端部よりも上方に位置するように、枠体１０内部の下方部分に取付けられる。取付けられた捕虫シート２０は、Ｖ字の底部が枠体１０の底面に接触し、両縁部２４が枠体１０の側面に接触した状態で保持される。
【００１７】
粘着捕虫器１は、壁面や天井に不図示のビス等で固定されて設置され、空中を飛翔する虫は、開口部１１を通って捕虫シート２０の粘着層２２に到達することで、粘着されて捕獲される。捕獲された虫の死骸は、粘着層２２に付着した状態で保持される。このとき、粘着層２２への付着が不十分であったり、体の一部分のみが付着していた虫の死骸が、風や重力等により粘着層２２から離れ落ちた場合、捕虫シート２０の断面はＶ字形状であるため、離れ落ちた虫の死骸は、粘着層２２のより低位置の箇所で再び粘着されて捕獲される。
【００１８】
上記捕虫シート２０は、使用後に、枠体１０から取外されＶ字状に折り曲げられている状態から、そのまま折り目２３に沿って粘着層２２を内側にして折り畳むことにより、粘着層２２同士が粘着して、粘着層２２に付着した虫の死骸を隠蔽した状態とされる。
【００１９】
このように、捕虫シート２０に捕獲された虫の死骸は、風や重力等により粘着層２２から離れ落ちたとしても、粘着層２２のより低位置の箇所で再び粘着されて捕獲されため、粘着捕虫器１の使用中に、捕獲した虫の死骸が捕虫器１の外部へ落下することがない。また、粘着層２２を内側にして折り畳むことで粘着層２２に付着した虫の死骸が隠蔽されるため、枠体１０から取外した使用済みの捕虫シート２０を扱う際に、虫の死骸が落下することがないと共に、虫の死骸が見えたり、手や衣服が粘着層に触れてしまうことがない。
【００２０】
次に、第２の実施形態による粘着捕虫器の概略構成を図４に示す。粘着捕虫器１は、上記の実施形態と同様に、枠体１０と使い捨ての捕虫シート２０から構成されている。本実施形態においては、枠体１０は、壁面や天井に不図示のビス等で固定される本体部分１０ａと、この本体部分１０ａと分離可能な捕虫シート２０を保持するトレイ１０ｂとから構成されている。本体部分１０ａとトレイ１０ｂとは、それぞれに設けられたラッチ機構を有する取付具１２及び１３により、着脱自在に組み付け可能となっている。本実施形態における他の構成については、上記の実施形態における構成と同様である。
【００２１】
捕虫シート２０の取付けは、トレイ１０ｂを本体部分１０ａから分離した状態で、地上でトレイ１０ｂに捕虫シート２０を収納し、この捕虫シート２０を収納したトレー１０ｂを本体部分１０ａに組み付けることにより行われる。また、捕虫シート２０の取外しは、トレイ１０ｂを本体部分１０ａから分離し、地上でトレイ１０ｂから捕虫シート２０を取外すことにより行われる。
【００２２】
このような構成によれば、上記の実施形態と同様に、粘着捕虫器１の使用中に、捕獲した虫の死骸が捕虫器１の外部へ落下することがなく、また、トレイ１０ｂから取外した使用済みの捕虫シート２０を扱う際に、虫の死骸が落下することがないと共に、虫の死骸が見えたり、手や衣服が粘着層に触れてしまうことがない。また、このような構成によれば、捕虫シート２０の取付けや取外しは、トレイ１０ｂを本体部分１０ａから取外して、地上で行うことができる。
【００２３】
上記構成の粘着捕虫器１に収納される捕虫シート２０を、図５に示すような構成のものとしてもよい。この捕虫シート２０には、折り目２３ａ．２３ｂと切り込み２３ｃが設けられており、粘着層２２を折り目２３ａに沿って内側にしてＶ字状に折り曲げたとき、折り目２３ｂと切り込み２３ｃのために、シート２１の一部がそれとは逆方向にＶ字状に折り曲げられて、摘み２５が形成されるようになっている。また、この摘み２５は、捕虫シート２０を折り畳んだとき、折り畳んだ面から外部に出るようになっている。
【００２４】
上記捕虫シート２０は、使用後に、図６に示すように、摘み２５を摘むことで、トレイ１０ｂから取外される。このとき、手や衣服が粘着層に触れることなく、同時に粘着層２２が折り目２３ａに沿って内側に折り畳まれて、すみやかに虫の死骸が隠蔽された状態となる。これにより、使用済みの捕虫シート２０をトレイ１０ｂから取外し易く、また、使用済みの捕虫シート２０をトレイ１０ｂから取外す際に、手や衣服が粘着層に触れてしまうことがなくなる。
【００２５】
次に、第３の実施形態による粘着捕虫器の概略構成を図７及び図８に示す。粘着捕虫器１は、上記の実施形態と同様に、枠体１０と使い捨ての捕虫シート２０から構成されている。本実施形態においては、枠体１０には、底面に開口部１４が設けられ、また、側面内部に捕虫シート２０を保持するための突起状の保持具１５が設けられている。捕虫シート２０は、Ｖ字状に屈曲されたシート２１の外面の斜面が、保持具１５に接触することで保持されるようになっている。本実施形態における他の構成については、上記の実施形態における構成と同様である。
【００２６】
上記捕虫シート２０は、使用後に、図９に示すように、枠体１０の底面に設けられている開口部１４から、保持具１５により保持されている捕虫シート２０の外面を摘んで下方に引っ張ることにより、枠体１０から取外される。このとき、自動的に粘着層２２が内側となるように折り畳まれて、すみやかに虫の死骸が隠蔽された状態となる。なお、開口部１４は、捕虫シート２０の交換時以外は、蓋等で閉じておく構成としてもよい。
【００２７】
このような構成によれば、上記の実施形態と同様に、粘着捕虫器１の使用中に、捕獲した虫の死骸が捕虫器１の外部へ落下することがなく、また、枠体１０から取外した使用済みの捕虫シート２０を扱う際に、虫の死骸が落下することがないと共に、虫の死骸が見えたり、手や衣服が粘着層に触れてしまうことがない。また、このような構成によれば、使用済みの捕虫シート２０を枠体１０から取外す際にも、虫の死骸が落下することがないと共に、虫の死骸が見えたり、手や衣服が粘着層に触れてしまうことがない。
【００２８】
次に、第４の実施形態による粘着捕虫器の概略構成を図１０に示す。本実施形態においては、粘着捕虫器１は、本体部分１０ａ及びトレイ１０ｂから成る枠体１０と、使い捨ての捕虫シート２０と、光源３０とから構成されている。光源３０は、虫の誘引効果を高めるためのものであり、近紫外線を多く含む光を発するものである。この光源３０は、本体部分１０ａ内において捕虫シート２０に近接した箇所に設けられている。本実施形態における他の構成については、上記の実施形態における構成と同様である。
【００２９】
空中を飛翔する虫は、光源３０の誘引効果により、開口部１１を通って枠体１０内部に入り、捕虫シート２０の粘着層２２に到達することで、粘着されて捕獲される。また、上記の構成において、光源３０に加え、昆虫の誘引性を向上させるための餌、フェロモン、音源等を併設してもよい。
【００３０】
このような構成によれば、上記の実施形態と同様に、粘着捕虫器１の使用中に、捕獲した虫の死骸が捕虫器１の外部へ落下することがなく、また、枠体１０から取外した使用済みの捕虫シート２０を扱う際に、虫の死骸が落下することがないと共に、虫の死骸が見えたり、手や衣服が粘着層に触れてしまうことがない。また、このような構成によれば、光源３０の誘引効果により、捕虫性能が向上する。
【００３１】
また、上記各実施形態において、捕虫シート２０は、図１１（ａ）（ｂ）（ｃ）に示すような構成のものとしてもよい。図１１（ａ）に示す捕虫シート２０は、粘着層２２を内側にして湾曲させることにより、断面形状をＵ字の樋状にして使用し、使用後は粘着層２２を内側にして折り畳む構成のものである。また、図１１（ｂ）及び（ｃ）に示す捕虫シート２０は、それぞれ、折り目２３が設けられており、折り目２３に沿って粘着層２２を内側にして折り曲げることにより、断面形状をコ字の樋状にして使用し、使用後は折り目２３に沿って粘着層２２を内側にして折り畳む構成のものである。このような構成の捕虫シート２０によっても、粘着層２２に付着した虫の死骸を隠蔽することができるため、使用済みの捕虫シート２０を扱う際に、虫の死骸が落下することがないと共に、虫の死骸が見えたり、手や衣服が粘着層に触れてしまうことがない。
【００３２】
【発明の効果】
以上説明したように請求項１の発明によれば、捕虫シートに捕獲された虫の死骸が風や重力等により粘着層から離れ落ちたとしても、粘着層のより低位置の箇所で再び粘着されて捕獲されため、捕虫器の使用中に、捕獲した虫の死骸が外部へ落下するのを防止できる。また、捕虫シートは、粘着層を内側にして折り畳むことで、粘着層に付着した虫の死骸が隠蔽された状態となるため、捕虫シートの交換作業時に、虫の死骸が外部に落下するのを防止できると共に、虫の死骸の付着した不潔な粘着面が見えたり、手や衣服が粘着面に触れてしまうことがなく、快適かつ衛生的に捕虫シートの交換を行うことができる。しかも、摘みを摘んで捕虫シートを折り畳むことにより、虫の死骸の付着した粘着面に手や衣服が触れることなく、虫の死骸を隠蔽することができ、より快適かつ衛生的に捕虫シートの交換を行うことができる。
【００３３】
また、請求項２の発明によれば、請求項１の発明と同様に、捕虫器の使用中に、捕獲した虫の死骸が外部へ落下するのを防止できると共に、捕虫シートの交換作業時に、快適かつ衛生的に捕虫シートの交換を行うことができる。しかも、枠体の開口から捕虫シートの外面を摘んで引き下ろすことにより、虫の死骸の付着した不潔な粘着面が見えたり、虫の死骸の付着した粘着面に手や衣服が触れることなく、使用済みの捕虫シートを折り畳んで虫の死骸を隠蔽することができ、より快適かつ衛生的に捕虫シートの交換を行うことができる。
【図面の簡単な説明】
【図１】  本発明の一実施形態による粘着捕虫器の概略構成を示す斜視図。
【図２】  同粘着捕虫器の断面図。
【図３】  同粘着捕虫器に使用される捕虫シートの概略構成を説明する図。
【図４】  本発明の一実施形態による粘着捕虫器の概略構成を示す斜視図。
【図５】  同粘着捕虫器に使用される別の捕虫シートの概略構成を説明する図。
【図６】  同捕虫シートの取外しを説明する図。
【図７】  本発明の一実施形態による粘着捕虫器の概略構成を示す斜視図。
【図８】  同粘着捕虫器の断面図。
【図９】  同粘着捕虫器に使用される捕虫シートの取外しを説明する図。
【図１０】  本発明の一実施形態による粘着捕虫器の概略構成を示す斜視図。
【図１１】  （ａ）（ｂ）（ｃ）は、それぞれ本発明の粘着捕虫器に使用される別の捕虫シートの概略構成を説明する図。
【図１２】  （ａ）は従来の粘着捕虫器の概略構成を示す斜視図、（ｂ）は同捕虫器の断面図。
【図１３】  （ａ）は従来の粘着捕虫器の概略構成を示す斜視図、（ｂ）は同捕虫器の断面図。
【符号の説明】
１  粘着捕虫器
１０  枠体
１０ａ  本体部分
１０ｂ  トレイ
１２  取付具
１３  取付具
１４  開口部
１５  保持具
２０  捕虫シート（捕虫器用粘着シート）
２２  粘着層
２３，２３ａ，２３ｂ  折り目
２３ｃ  切り込み
２４  両縁部
２５  摘み
【図１】
0003912725.tif 000002
【図２】
0003912725.tif 000003
【図３】
0003912725.tif 000004
【図４】
0003912725.tif 000005
【図５】
0003912725.tif 000006
【図６】
0003912725.tif 000007
【図７】
0003912725.tif 000008
【図８】
0003912725.tif 000009
【図９】
0003912725.tif 000010
【図１０】
0003912725.tif 000011
【図１１】
0003912725.tif 000012
【図１２】
0003912725.tif 000013
【図１３】
0003912725.tif 000014